(57)【要約】  【課題】上がり框用台又は階段等の訓練設備を取り替え可能な昇降用リハビリテーション装置を提供する。  【解決手段】上下方向の高さ調節が可能で上面に踊り場を備えた昇降部と、上がり框用台又は階段等の訓練設備を取り替え可能に設置する受け板とが、前記昇降部と一連の並びに組み合わされると共に、前記踊り場および受け板に立てた支柱の上端間へ架け渡した手摺りをそれぞれ継手により連結して構成している。【選択図】図１
2006346239.tif 000002
【特許請求の範囲】
【請求項１】
上下方向の高さ調節が可能で上面に踊り場を備えた昇降部と、上がり框用台又は階段等の訓練設備を取り替え可能に設置する受け板とが、前記昇降部と一連の並びに組み合わされ、前記踊り場および受け板に立てた支柱の上端間へ架け渡した手摺りをそれぞれ継手により連結して構成されていることを特徴とする、昇降用リハビリテーション装置。
【請求項２】
支柱は上下方向の高さ調整が可能とされ、前記支柱の上端間に取り付けられた第一手摺りと共に、第一手摺りに対向する踊り場の端部側に側壁が立設され、該側壁の前記第一手摺りと対向する側面に上下、左右の移動及び斜め位置を設定可能な第二手摺りが設けられていることを特徴とする、請求項１記載の昇降用リハビリテーション装置。
【請求項３】
訓練設備を設置した受け板は、昇降部の左右に一連の並びで組み合わされていることを特徴とする、請求項１又は２に記載した昇降用リハビリテーション装置。
【請求項４】
昇降部の下端には移動用のキャスターを取り付けた台座が設けられていることを特徴とする、請求項１〜３のいずれか一に記載した昇降用リハビリテーション装置。
【発明の詳細な説明】
【技術分野】
【０００１】
この発明は、身体障害者あるいは老人等の非健常者が、階段等の上り下り（以下、昇降と云う。）歩行訓練を行う際に使用する昇降用リハビリテーション装置の技術分野に属し、更に云うと、上がり框用台又は階段等の訓練設備を取り替え可能な昇降用リハビリテーション装置に関する。
【背景技術】
【０００２】
身体障害者あるいは老人等の非健常者が日常生活に復帰するための訓練の一つに、弱まった足腰を鍛える昇降歩行訓練がある。昇降歩行訓練には、非健常者が手摺りにつかまりながら平坦面を歩行したり、階段を上り下り歩行する昇降用リハビリテーション装置が使用される。
【０００３】
上記のような昇降用リハビリテーション装置は、既に以下のものが開示されて公知である。
例えば特許文献１及び２には、床面からの高さを有する踊り場と、該踊り場と床面に掛けられる階段（訓練設備）とが一体的に形成され、同階段から踊り場に渡って設けられた高さ調整可能な手摺りとから概略構成されている。特許文献１には、階段の反対方向に踊り場（平坦面）を挟んで更にスロープを取り付けた構成も開示されている。
【特許文献１】特開２０００−３１７０１２号公報
【特許文献２】特開２０００−３００６９３号公報
【発明の開示】
【発明が解決しようとする課題】
【０００４】
上記特許文献１又は２の昇降用リハビリテーション装置は、階段（又はスロープ）による上り下り歩行訓練を行うことはできる。しかし、訓練者の多くは、自宅で玄関口の段差のきつい上がり框の上り下りを行うため、上がり框の昇降訓練を行うことも必要とされている。しかし、上記従来の発明においては、上がり框用台を利用した昇降訓練は全くできない構成である。つまり、踊り場と階段（訓練設備）は一体形成されており、取り外しや取り替えができない構成とされているため、階段歩行訓練にしか使用できない昇降用リハビリテーション装置である。また、訓練者の障害や自宅の状況に即した現実的なリハビリを行うことを考えると、上がり框の段差の傾斜線と踊り場の水平線とに合わせて立設される手摺りの他に、玄関壁面に水平方向や鉛直方向の手摺りの設定も必要であるが、そうした手摺りを組み入れられる構成ではない。
【０００５】
また、多くの訓練者の自宅の階段の踊り場の実際の手摺りは、階段の傾斜線と踊り場の水平線とに合わせた一方向のみに限らず、階段を上りきった後の左右への方向転換や、階段を降りる際に前のめりにならない点を考慮して鉛直方向に立てた第二手摺りも併用して設けることが好適に実施されている。しかし、上記特許文献１及び２の発明は階段の傾斜線と踊り場の水平線とに合わせた一方向にしか設けられておらず、訓練者毎の自宅の状態を再現することは難しく、それぞれの障害や自宅の状況に即した現実的なリハビリを行うことには制限がある。
【０００６】
本発明の目的は、訓練設備を取り替えることが可能な構成として、上がり框の昇降訓練と階段の上り下り歩行の訓練とを一つの装置で行える昇降用リハビリテーション装置を提供することにある。
【０００７】
本発明の次の目的は、高さ調整が可能な第一手摺りと、上下、左右方向の移動及び斜め位置を設定可能な第二手摺りを設けて、訓練者の自宅のリハビリ環境を再現してより現実に即したリハビリを可能にし、また、最適な手摺り位置やその傾斜角度を把握することを可能とする昇降用リハビリテーション装置を提供することにある。
【課題を解決するための手段】
【０００８】
上述した従来技術の課題を解決するための手段として、請求項１に記載した発明に係る昇降用リハビリテーション装置は、
上下方向の高さ調節が可能で上面に踊り場を備えた昇降部と、上がり框用台又は階段等の訓練設備を取り替え可能に設置する受け板とが、前記昇降部と一連の並びに組み合わされ、前記踊り場および受け板に立てた支柱の上端間へ架け渡した手摺り（第一手摺り）をそれぞれ継手により連結して構成されていることを特徴とする。
【０００９】
請求項２記載の発明は、請求項１に記載した昇降用リハビリテーション装置において、  支柱は上下方向の高さ調整が可能とされ、前記支柱の上端間に取り付けられた第一手摺りと共に、第一手摺りに対向する踊り場の端部側に側壁が立設され、該側壁の前記第一手摺りと対向する側面に上下、左右の移動及び斜め位置を設定可能な第二手摺りが設けられていることを特徴とする。
【００１０】
請求項３記載の発明は、請求項１又は２に記載した昇降用リハビリテーション装置において、訓練設備を設置した受け板は、昇降部の左右に一連の並びで組み合わされていることを特徴とする。
【００１１】
請求項４記載の発明は、請求項１〜３のいずれか一に記載した昇降用リハビリテーション装置において、昇降部の下端には移動用のキャスターを取り付けた台座が設けられていることを特徴とする。
【発明の効果】
【００１２】
請求項１又は３に記載した発明に係る昇降用リハビリテーション装置によれば、昇降部２と、上がり框用台又は階段用の訓練設備５を取り替え可能な受け板３とを、前記昇降部２と一連の並びに組み合わせ、それぞれを手摺り６で連結して一体的に構成したので、上がり框用台、或いは階段のどちらかを訓練者の要求に応じて随時取り替えて、従来の階段による上り下り歩行の訓練のほか、従来できなかった上がり框専用の上り下り訓練とを一つの装置で行える。また、各訓練者に対して予め最適に設定したオーダーメイドの訓練設備を用意し、訓練者毎に同生活設備に取り替えて、より効果的なリハビリを提供することができる。
【００１３】
更に、受け板３を昇降部２の左右に一連に設置したので、左右のどちらからでもリハビリを開始でき左利きか、右利き、又は左麻痺、右麻痺の如何に拘わらず、訓練者に合ったリハビリを行える。しかも、一方の受け板３には階段を、他方の受け板３には上がり框という生活設備５をそれぞれ設置して、階段の上り下り歩行訓練と共に上がり框の上り下り訓練を同じ装置で行うことができる。従って訓練者のニーズに合った多様なリハビリを容易に可能とし、ＰＴ（作業療法士）等のスタッフの円滑な訓練援助を実現できる。
【００１４】
請求項２に記載した発明に係る昇降用リハビリテーション装置は、上下方向の高さ調節が可能な支柱７、７間に設けられた第一手摺り６と、第一手摺り６に対向する踊り場４の端部側に立設された側壁１０に、上下、左右方向の移動及び斜め位置を設定可能な第二手摺り１１を備える構成としたので、上がり框用台又は階段とする訓練設備５の如何に拘わらず、訓練者の自宅の手摺り位置を忠実に再現して、より現実的なリハビリを行うことに寄与する。また、訓練者の自宅にまだ手摺りが取り付けられていない場合には、最適な手摺り位置やその傾斜角度をシュミレーションして把握することができる。
【００１５】
請求項４に記載した発明に係る昇降用リハビリテーション装置によれば、昇降部２はキャスターを取り付けた台座を設けた構成なので、訓練以外の時は、当該装置をコンパクトに解体して容易に移動、収納ができ、施設の省スペース化を図ることができる。
【発明を実施するための最良の形態】
【００１６】
本発明の昇降用リハビリテーション装置１は、上下方向の高さ調節が可能で、上面に踊り場４を備えた昇降部２と、上がり框用台又は階段等の訓練設備５を取り替え可能に設置する受け板３とが、前記昇降部２と一連の並びに組み合わされ、前記踊り場４および受け板３に立てた支柱７の上端間へ架け渡した第一手摺り６をそれぞれ継手６０により連結して構成されていることを特徴とする。
【実施例１】
【００１７】
以下、本発明に係る昇降用リハビリテーション装置１の実施例を、図面に基づいて説明する。
図１に、上面に踊り場４を備えた昇降部２と、上がり框用台とする訓練設備５が設置される受け板３を、前記昇降部２の左右に一連の並びに組み合わせ、同昇降部２と受け板３の一側端部に立てた支柱７の上端部を架け渡す第一手摺り６でそれぞれを連結した状態を示した。勿論、施設内の広さが限られている場合には昇降部２の片側にのみ受け板３を設けて実施することもできる。
【００１８】
前記昇降部２は、例えばアングル材を枠状に形成し、その下端に移動可能にストッパー機能を有するキャスター２０ａを取り付けた台座２０と、同台座２０の枠内に上下方向に高さ調整が可能なリフター等の昇降部２１を設置し、同昇降部２１の上端面に設けた固定板２１ａの上端面へ木板等で成る踊り場４を取り付けて構成されている（図２参照）。
【００１９】
上記昇降部２の左右に設置される受け板３、３は、底部３ａとその一側端部（図示では右端辺）から鉛直方向に立ち上がる第１側壁部３ｂと、前記第１側壁部３ｂの両端縦辺と底部３ａの上下辺と連結される側面方向に見て直角三角形状の第２側壁部３ｃ、３ｃとを連結して構成されており、側壁部を形成しない開放一側辺（図示では左端辺）から上がり框用台とした訓練設備５を差し入れ、底部３ａ上に載置される構成とされている。つまりこの構成は、訓練設備５を単に受け板３上に載置しているのみであり、自在に取り替え可能である。勿論、簡易な固定材により訓練設備５を固定して実施することが好ましい。
【００２０】
次に、第一手摺り６について説明する。
先ず、第一手摺り６は、図１、図２に示すように、一連の並びに組み合わされ昇降部２の踊り場４と受け板３、３の一側端部から支柱７が、同支柱７の下端に取り付けられた固定部８により複数本立てられ、前記複数の支柱７の上端間を架け渡す如くに同支柱７の頂部に取り付けたブラケット９…へ架設され着脱可能に固定されている。上記第一手摺り６の水平部６ａと傾斜部６ｂとは、その連結角度を自在に変更可能な継手６０により連結される。また、前記ブラケット９もピンジョイントの如く角度を自在に変更・固定可能なものである。上記のような構成としたので、第一手摺り６は訓練者の最適な傾斜角で体重を支える手摺りの役目と、昇降部２と受け板３とをそれぞれ一体的に連結する役目とを兼備する。
【００２１】
前記支柱７は、上下方向に高さ調節可能な構成とし、昇降部２１の上下方向の移動に際し手摺りの高さ及びその傾斜角を保持して、訓練者に最適な手摺りの高さ位置を提供することができる。
即ち、支柱７は、上記固定部８が連結される受け管７０と、同受け管７０内に収納でき且つ上下方向に摺動可能に径を細くされていると共に、その上端部に前記ブラケット９が取り付けられた調整管７１とで構成されている。前記受け管７０の所定箇所にはその高さ位置を固定するハンドル付き固定ネジ７２が備えられ、同調整管７１の上下方向には一定の間隔を空けて前記固定ネジ７２の貫通を許容する孔７１ａが複数設けられている。したがって、調整管７１を必要高さ位置に摺動させ、同高さ位置に設けている孔７１ａへ受け管７０の固定ネジ７２を締め込み貫通させて固定して高さを自在に調整し固定する。
【００２２】
次に第二手摺り１１について説明する。
第二手摺り１１は、図１、図３に示すように、昇降部２の踊り場４の支柱７に対向する端部側から側壁１０が立設され、前記側壁１０の第一手摺りと対向する壁面に上下、左右の移動及び斜め位置を設定可能に取り付けられている。
【００２３】
具体的には、前記側面に沿って左右方向の移動及び斜め位置を設定可能な手摺り１２と、上下方向の移動及び斜め位置を設定可能な手摺り１３とがそれぞれ設けられている。
前記手摺り１２は、側壁１０の内側面の上下位置に水平方向に溝部を向けて取り付けたレール材１２０、１２０と、前記レール材１２０、１２０の溝部に嵌め合わされ、その溝部に沿って水平方向に摺動する凸型の手摺りベース材１２１と、同手摺りベース材１２１に取り付けられたブラケット１２２、１２２と、前記ブラケット１２２、１２２に取り付けた手摺り棒１２３とで成る。前記手摺りベース材１２１には側壁１０を貫通するハンドル付き固定ネジ１２１ａが取り付けられている。また、前記固定ネジ１２１ａの貫通及び水平方向の移動を許容するべく側壁１０には前記レール材１２０に沿い且つ略同長とされたスリット１０ａが設けられている。したがって、左右の手摺りベース材１２１、１２１を所定の高さ位置に到達させ、前記固定ネジ１２１ａを締め込みナットで側壁１０を挟み込んで手摺り位置を固定する。
【００２４】
前記手摺り棒１２３は、水平方向の移動は勿論、左右の手摺りベース材１２１、１２１のいずれか一方を異なる左右位置に固定することで鉛直方向に対して斜め位置に設定することができる。
【００２５】
また、前記手摺り１３も同様に、側壁１０の内側面の左右位置に鉛直方向に溝部を向けて取り付けたレール材１３０、１３０と、前記レール材１３０、１３０の溝部に嵌め合わされ、その溝部に沿って上下方向に摺動する凸型の手摺りベース材１３１と、同手摺りベース材１３１に取り付けられたブラケット１３２、１３２と、前記ブラケット１３２、１３２に横架して取り付けた手摺り棒１３３とで成る。上記手摺り棒１３３は左右に設置する訓練設備５へ突き出すように水平方向に長くして、上がり框用としても適用できるように形成されている。
【００２６】
前記手摺りベース材１３１にも固定ネジ１３１ａが取り付けられ、固定ネジ１３１ａの貫通及び鉛直方向の移動を許容するべく側壁１０には前記レール材１３０に沿ってスリット１０ｂが設けられている。上記手摺り７と同様に鉛直方向の移動は勿論、水平方向に対して斜め位置に手摺り棒１３３を設定できる。
したがって、生活設備５の如何に拘わらず訓練者の自宅の手摺り位置を忠実に再現して、より現実的なリハビリを行うことに寄与する。また、訓練者の自宅にまだ手摺りが取り付けられていない場合には、最適な手摺り位置やその傾斜角度をシュミレーションして把握することができるのである。
【実施例２】
【００２７】
図１〜図３では訓練設備５を上がり框として前記受け板３上に設置した例を示したが、この限りではなく図４に示すように訓練設備５として階段を左右の受け板３に設置しても良いし、一方の受け板３には階段を、他方の受け板３には上がり框をとそれぞれ異なる訓練設備５、５を設置し、階段の昇降歩行訓練と上がり框の昇降訓練を併用して行える昇降用リハビリテーション装置１としても良い。
【実施例３】
【００２８】
訓練設備５はこの限りではなく、図示することは省略したが、側面方向から見て直角三角形状でその傾斜が１２度以内とされたスロープを受け板３に設置することもできる。
【００２９】
以上に実施形態を図面に基づいて説明したが、本発明は、図示例の実施形態の限りではなく、その技術的思想を逸脱しない範囲において、当業者が通常に行う設計変更、応用のバリエーションの範囲を含むことを念のために付言する。
【図面の簡単な説明】
【００３０】
【図１】本発明に係る昇降用リハビリテーション装置の実施例を示す斜視図である。
【図２】本発明に係る昇降用リハビリテーション装置の実施例を示す正面図である。
【図３】本発明に係る昇降用リハビリテーション装置の左側面図である。
【図４】本発明の昇降用リハビリテーション装置の異なる実施例を示した斜視図である。
【符号の説明】
【００３１】
１          昇降用リハビリテーション装置
２          昇降部
３          受け板
４          踊り場
５          訓練設備
６          第一手摺り
７          支柱
１０        側壁
１１        第二手摺り
【図１】
2006346239.tif 000003
【図２】
2006346239.tif 000004
【図３】
2006346239.tif 000005
【図４】
2006346239.tif 000006